(57)【要約】【課題】回線未使用時に、上位装置からの制御信号により遠隔操作で光モジュールからの光出力を停止することが可能な光伝送装置の光出力停止方式を提供する。【解決手段】マルチフレーム検出回路４から出力されるＭＦＬＯＳＳ信号２６、制御信号検出回路５から出力されるＡＣＴ信号２７、クロック断検出回路６から出力される断検出信号２８、及び対局警報検出回路１１から出力される対局警報検出信号３２の少なくとも何れか一つの信号がＬｏｗレベルのとき、ＣＭＩデータ信号２９の論理に関係なく、論理積素子７からの出力はＬｏｗレベルとなり、Ｅ／Ｏ光モジュール８から出力される光出力信号３４は光出力停止状態（光らない状態）となる。【選択図】　図１
2004023464.tif 000002
【特許請求の範囲】
【請求項１】
伝送路に光インタフェースを使用し、前記伝送路異常時に光出力を停止する機能を有する光伝送装置において、下位装置からの対局情報が検出された場合、または上位装置から受信した制御信号のマルチフレーム同期外れが検出された場合、または入力クロック断が検出された場合、または光出力を制御するＡＣＴ信号が光出力のＯＦＦを示している場合の少なくともいずれか一つの場合に光出力を停止することを特徴とする光伝送装置の光出力停止方式。
【請求項２】
伝送路に光インタフェースを使用し、前記伝送路異常時に光出力を停止する機能を有する光伝送装置において、上位装置から入力されるシリアル入力データ信号からデータ信号と制御信号を分離する分離回路と、前記制御信号のマルチフレーム同期を行い、マルチフレーム同期外れを検出したときにＭＦＬＯＳＳ信号を出力するマルチフレーム検出回路と、光出力のＯＦＦを指示するＡＣＴ信号を前記マルチフレーム検出回路でマルチフレーム同期された前記制御信号から検出して出力する制御信号検出回路と、入力クロック信号断を検出すると断検出信号を出力するクロック断検出回路と、下位装置から対局警報を検出すると対局警報検出信号を出力する対局警報検出回路とを備え、前記ＭＦＬＯＳＳ信号、前記ＡＣＴ信号、前記断検出信号、前記対局警報検出信号の少なくとも何れか一つを検出している場合に光出力を停止することを特徴とする光伝送装置の光出力停止方式。
【発明の詳細な説明】
【０００１】
【発明の属する技術分野】
本発明は、光伝送装置に関し、特に伝送路異常時に光出力を停止する光伝送装置の光出力停止方式に関する。
【０００２】
【従来の技術】
従来の光伝送装置の光出力停止方式では、光モジュール自身に光出力を停止する機能を持たせていた。そして、光モジュールに光出力を制御する制御端子が設けられ、外部より制御信号を入力して光出力を停止させていた。しかし、上記の機能を有する光モジュールは特別な高価品であり、通常使用している廉価品のモジュールでは光出力を制御する機能を有していない。そして、上位装置からの光出力停止制御や上位装置からの従属クロック断時のみ、伝送路上の光出力信号を停止する制御を行っていた。
【０００３】
また、従来の光伝送装置の光出力停止方式では、受信側の伝送路異常発生時に光出力停止の制御を行っているが、光入力信号断警報をもとに自装置が対向装置への光信号出力を停止制御していた。
【０００４】
【発明が解決しようとする課題】
上述した従来の光伝送装置の光出力停止方式では、使用している光モジュールが特別仕様の高価品であるため、汎用装置では容易に使用することができないという問題点があった。
【０００５】
また、従来の光伝送装置の光出力停止方式のように上位装置から制御信号や従属クロック信号の異常時のみに下位装置への光出力停止制御を行っていると、下位装置からの受信警報発生時に光出力停止制御を行うことができず、回線の不通時に無駄な電力を消費してしまうという問題点があった。
【０００６】
また、警報発生時に無用なレーザー光を出力してしまうため、保守者の眼に失明等の障害を与えてしまう可能性があるという問題点があった。
【０００７】
また、従来の光伝送装置の光出力停止方式では、受信側の光入力信号断警報によって送信側の光出力信号の停止制御を行うと、自装置側の光出力停止後、対向装置側でも同等の制御が作動して光出力を停止していた。このように従来の光伝送装置の光出力停止方式ではどちらかの受信信号で伝送路異常が発生すると、正常であるもう一つの回線まで光信号を停止してしまうという問題点があった。音声信号を伝送している場合は双方向伝送を必要とするため従来技術の方式でも問題はないが、データ信号を伝送する場合は片方向伝送行うことがあるため正常回線を停止してしまうのはシステム上、非常に大きな問題である。
【０００８】
更に従来の光伝送装置の光出力停止方式では、片方向の伝送路障害により両方向の伝送路を停止してしまうので、光伝送を再起動するための光信号を出力させる手順が必要となり、保守者への負担が増加するとともに、再起動用の回路も増加してしまうという問題点があった。
【０００９】
本発明は上記問題に鑑みてなされたものであって、本発明は、回線未使用時に、上位装置からの制御信号により遠隔操作で光モジュールからの光出力を停止することが可能な光伝送装置の光出力停止方式を提供することを目的とする。
【００１０】
また、本発明の他の目的は、上位装置からの受信する制御信号及びクロック信号の異常時に光出力を停止し、下位装置からの警報受信時にも無用なレーザー光の出力を停止することが可能な光伝送装置の光出力停止方式を提供することである。
【００１１】
【課題を解決するための手段】
本発明は、伝送路に光インタフェースを使用し、前記伝送路異常時に光出力を停止する機能を有する光伝送装置において、下位装置からの対局情報が検出された場合、または上位装置から受信した制御信号のマルチフレーム同期外れが検出された場合、または入力クロック断が検出された場合、または光出力を制御するＡＣＴ信号が光出力のＯＦＦを示している場合の少なくともいずれか一つの場合に光出力を停止することを特徴とする。
【００１２】
【発明の実施の形態】
次に本発明の実施形態について図面を参照して詳細に説明する。図１は本発明の光伝送装置の光出力停止方式にかかわる実施形態の構成を示すブロック図である。
【００１３】
Ｏ／Ｅ光モジュール９は、下位装置（図示せず）から受信した光入力信号３３を電気信号に変換して出力する。同期検出回路１０は、Ｏ／Ｅ光モジュール９から電気信号を入力し、伝送路のフレーム同期を検出する。また、同期検出回路１０は、伝送路からの入力信号のフレーム同期が外れた時にＬｏｗレベルの光同期検出信号３０を出力する。
【００１４】
警報転送回路１２は、同期検出回路１０からＬｏｗレベルの光同期検出信号３０を受信すると、出力する対局警報信号３１をＬｏｗレベルからＨｉレベルに変化させて出力する。分離回路１は、上位装置（図示せず）からシリアルの入力データ信号２１を入力し、データ信号２３と制御信号２５に分離して出力する。
【００１５】
多重回路２は、データ信号２３に警報転送回路１２から出力された対局警報信号３１を多重して、多重化データ信号２４を出力する。ＣＭＩ符号化回路３は、多重化データ信号２４をＣＭＩ符号化変換してＣＭＩデータ信号２９を出力する。
【００１６】
マルチフレーム検出回路４は、分離回路１から出力された制御信号２５からマルチフレームを検出し、マルチフレーム同期外れ時にＬｏｗレベルのＭＦＬＯＳＳ信号２６を出力する。制御信号検出回路５は、マルチフレーム検出回路４を介して、分離回路１から出力された制御信号２５を入力し、制御信号２５から光出力を制御するＡＣＴ信号２７を検出して出力する。クロック断検出回路６は、上位装置（図示せず）から送られてくる入力クロック信号２２の入力断検出を行い、入力断状態の時にＬｏｗレベルの断検出信号２８を出力する。
【００１７】
論理積素子７は、ＣＭＩデータ信号２９に対し、ＭＦＬＯＳＳ信号２６とＡＣＴ信号２７、断検出信号２８、対局警報検出信号３２にて出力の抑制をかける。正常時はすべての信号がＨｉレベルとなるため、ＣＭＩデータ信号２９が後段のＥ／Ｏ光モジュール８に出力されるが、異常が発生した場合、ＭＦＬＯＳＳ信号２６、ＡＣＴ信号２７、断検出信号２８、対局警報検出信号３２のいずれかがＬｏｗレベルとなるため、ＣＭＩデータ信号２９の出力が抑制される。Ｅ／Ｏ光モジュール８では論理積素子７より出力された電気信号を光信号に変換した後、光出力信号３４を出力する。
【００１８】
以下、本実施形態の動作について図１を参照して詳細に説明する。図１の実施形態において制御信号２５及び入力クロック信号２２が正常な場合、制御信号検出回路５にて検出したＡＣＴ信号２７は、運用中制御時にはＨｉレベルが検出され、出力停止制御時にはＬｏｗレベルが出力される。このときＭＦＬＯＳＳ信号２６と断検出信号２８は共にＨｉレベルを出力している。ＣＭＩデータ信号２９、ＭＦＬＯＳＳ信号２６、ＡＣＴ信号２７、断検出信号２８は共に論理積素子７に入力されるため、出力停止制御時にはＣＭＩデータ信号２９の論理に関係なく論理積素子７の出力はＬｏｗレベルとなり、Ｅ／Ｏ光モジュール８からの光出力信号３４は光出力停止状態（光らない状態）となる。
【００１９】
次に、制御信号２５の多重されているマルチフレームが同期外れの場合には、マルチフレーム検出回路４がＬｏｗレベルのＭＦＬＯＳＳ信号２６を出力する。上位装置から入力される入力クロック信号２２が入力断となった場合には、クロック断検出回路６がＬｏｗレベルの断検出信号２８を出力する。
【００２０】
よって、マルチフレーム同期外れ時やクロック信号入力断時には、ＣＭＩデータ信号２９の論理に関係なく論理積素子７の出力はＬｏｗレベルとなり、Ｅ／Ｏ光モジュール８からの光出力信号３４は光出力停止状態（光らない状態）となる。
【００２１】
次に、下位装置から伝送されてきた対局警報を受信した場合には、対局警報検出回路１１がＬｏｗレベルの対局警報検出信号３２を出力する。よって、下位装置からの対局警報を受信した時には、ＣＭＩデータ信号２９の論理に関係なく論理積素子７の出力はＬｏｗレベルとなり、Ｅ／Ｏ光モジュール８からの光出力信号３４は光出力停止状態（光らない状態）となる。
【００２２】
また、本発明の他の実施形態として、その基本的構成はほぼ上記の通りであるが、図１を参照すると、ＣＭＩデータ信号２９、ＭＦＬＯＳＳ信号２６、ＡＣＴ信号２７、断検出信号２８、対局警報検出信号３２は共に論理積素子７に入力しているが、それぞれの出力論理を変更して論理和素子に変更してもよい。また、この論理積素子７を出力抑制回路と置き換えてもよい。なお、本発明が上記各実施形態に限定されず、本発明の技術思想の範囲内において、実施形態は適宜変更され得ることは明らかである。
【００２３】
以上のように、本実施形態では、上位装置からの制御信号２５により遠隔操作にて光モジュールの光出力を停止することができ、回線未使用時に容易に光出力を停止して消費電力を低減することが可能となる。また上位装置から受信する制御信号２５及び入力クロック信号２２が異常の時に光出力を停止すること、下位装置から対局警報を受信した時に光出力を停止することにより、回線障害時において無用なレーザー光の出力を停止し、保守者の眼に失明等の障害を与える危険より保護することが可能となる。
【００２４】
【発明の効果】
以上、説明したように本発明によれば、上位装置からの受信データ信号内に多重されている制御信号により、遠隔操作にて光モジュールからの光出力を停止することができるので、回線未使用時に容易に光出力を停止して消費電力を低減することができるともに、保守者の眼に失明等の障害を与えることをなくすことができる。
【００２５】
また、本発明によれば、下位装置からの受信警報の検出によって光モジュールの光出力を停止することができるので、回線未使用時に容易に光出力を停止して消費電力を低減することができるともに、保守者の眼に失明等の障害を与えることをなくすことができる。
【００２６】
また、本発明によれば、小規模な回路によって実現することができるので、既存の装置に容易に追加することができる。
【図面の簡単な説明】
【図１】本発明の光伝送装置の光出力停止方式にかかわる実施形態の構成を示すブロック図である。
【符号の説明】
１　　分離回路
２　　多重回路
３　　ＣＭＩ符号化回路
４　　マルチフレーム検出回路
５　　制御信号検出回路
６　　クロック断検出回路
７　　論理積素子
８　　Ｅ／Ｏ光モジュール
９　　Ｏ／Ｅ光モジュール
１０　　同期検出回路
１１　　対局警報検出回路
１２　　警報転送回路
【図１】
2004023464.tif 000003